(57)【要約】【課題】  この発明はオスコネクタとメスコネクタの連結が外れることを防ぎ、安定した連結を得ることによって、確実な電気的接続の得られるケーブルコネクタを提供する。【解決手段】  絶縁性を有する本体と、該本体内に収納される複数の導電端子と、該コネクタに係止する係止部と外部からの圧力を受ける押圧部とを含んでなり、該押圧部と該本体との間に隙間が形成されるように該本体上に設けられる係止部材と、によってケーブルコネクタを構成し、更に少なくとも本体部を備え、該本体部が該係止部材の押圧部と該本体との間に形成される隙間に進入するとともに、該隙間から離れるように該本体に摺動自在に設けられる当止部材を設ける。【選択図】図６
2005100986.tif 000002
【特許請求の範囲】
【請求項１】
ケーブルコネクタであって、
絶縁性を有する本体と、
該本体内に収納される複数の導電端子と、
該コネクタに係止する係止部と外部からの圧力を受ける押圧部とを含んでなり、該押圧部と該本体との間に隙間が形成されるように該本体上に設けられる係止部材と、
少なくとも本体部を備え、該本体部が該係止部材の押圧部と該本体との間に形成される隙間に進入するとともに、該隙間から離れるように該本体に摺動自在に設けられる当止部材とを含み構成されることを特徴とするケーブルコネクタ。
【請求項２】
前記係止部材の係止部が該コネクタに延伸するように形成されるフック状の係止フック部であることを特徴とする請求項１に記載のケーブルコネクタ。
【請求項３】
前記当止部材が締結バンドであって、該締結バンドは、鋸刃状の突起を一体に形成してなるバンド本体と、該バンド本体の一端に設けられるバンド止め部とを含んで構成され、該締結バンドを該本体に巻き付け、該バンド本体の一部を該係止部材の押圧部と該本体との間に形成される隙間内に位置させることを特徴とする請求項１に記載のケーブルコネクタ。
【請求項４】
前記締結バンドのバンド本体が、該係止部材の押圧部と該本体との間に形成される隙間の高さと略同様の厚さに形成されることを特徴とする請求項３に記載のケーブルコネクタ。
【請求項５】
前記絶縁性を有する本体の該係止部材を設ける側の表面にコの字状フレームを設け、該当止部材が、長方形状の部材本体と、該部材本体の一端に位置する押圧部とを含んで構成され、かつ該部材本体が押圧を受けて押し出されると、該コの字状フレーム内に進入し、かつ該係止部材の押圧部と該本体との間に形成される隙間に進入するように設けられるとともに、該部材本体を該係止部材の押圧部と該本体との間に形成される隙間の高さと略同様の厚さに形成することを特徴とする請求項１に記載のケーブルコネクタ。
【請求項６】
前記当止部材の部材本体にリブを形成し、該コの字状フレーム内の空間の高さを該当止部材の部材本体の厚さよりやや高くし、かつ該部材本体に該リブの厚さを加えた長さに比してやや低くすることを特徴とする請求項５に記載のケーブルコネクタ。
【請求項７】
前記当止部材の部材本体に形成するリブが２つ形成され、該本体上に形成されるコの字状フレームも２つ形成し、該２つのリブの内、前端に位置するリブを他のリブよりやや高くすることを特徴とする請求項６に記載のケーブルコネクタ。
【請求項８】
前記絶縁性を有する本体の両側面に一対の耳部を形成し、該耳部は該本体の側面との間に孔部を有する中空状に形成され、該当止部材は、水平部と、該水平部の両端縁部から下方に延伸し、さらに前方に延伸するように形成されるアーム部とによってなり、かつ該アーム部が該耳部の孔部に進入し、該水平部が該係止部材の押圧部と該本体との間に形成される隙間内に位置するように形成され、該水平部を該押圧部と該本体との間に形成される隙間の高さと略同様の高さに形成することを特徴とする請求項１に記載のケーブルコネクタ。
【請求項９】
前記当止部材のアーム部の外側面に、該耳部の内側面に当接するリブを形成することを特徴とする請求項８に記載のケーブルコネクタ。
【請求項１０】
前記当止部材のアーム部の外側面に形成するリブは、２つ形成され、かつ該アーム部の前端のリブを後方のリブより高くすることを特徴とする請求項９に記載のケーブルコネクタ。
【請求項１１】
前記絶縁性の本体上に設けられる係止部材は、該本体上に設けられる支持部と係止部と押圧部とによってなり、かつ該係止部と押圧部とが該支持部の両側にそれぞれ設けられることを特徴とする請求項１に記載のケーブルコネクタ。
【請求項１２】
ケーブルコネクタであって、
絶縁性を有する本体と、
該本体内に収納される複数の導電端子と、
該コネクタに係止する係止部と外部からの圧力を受ける押圧部とを含んでなり、該押圧部と該本体との間に隙間が形成されるように該本体上に設けられる係止部材と、
鋸刃状の突起を一体に形成してなるバンド本体と一端に設けられるバンド止め部とによってなる締結バンドとを含み構成され、
該締結バンドを該本体に巻き付け、該バンド本体の一部を該係止部材の押圧部と該本体との間に形成される隙間に位置させることを特徴とするケーブルコネクタ。
【請求項１３】
前記係止部材の係止部が該コネクタに延伸するように形成されるフック状の係止フック部であることを特徴とする請求項１２に記載のケーブルコネクタ。
【請求項１４】
前記締結バンドのバンド本体が、該係止部材の押圧部と該本体との間に形成される隙間の高さと略同様の厚さに形成されることを特徴とする請求項１２に記載のケーブルコネクタ。
【請求項１５】
ケーブルコネクタであって、
絶縁性を有する本体と、
該本体内に収納される複数の導電端子と、
該コネクタに係止する係止部と外部からの圧力を受ける押圧部とを含んでなり、該押圧部と該本体との間に隙間が形成されるように該本体上に設けられる係止部材と、
該係止部材を設ける本体の表面に設けられるコの字状フレームと、
長方形状の部材本体と該部材本体の一端に位置する押圧部とを含んで構成され、該部材本体が押圧を受けて押し出されると、該コの字状フレーム内に進入し、かつ該係止部材の押圧部と該本体との間に形成される隙間に進入するように設けられる当止部材とを含み構成されることを特徴とするケーブルコネクタ。
【請求項１６】
前記当止部材の部材本体にリブを形成し、該コの字状フレーム内の空間の高さを該当止部材の部材本体の厚さよりやや高くし、かつ該部材本体に該リブの厚さを加えた長さに比してやや低くすることを特徴とする請求項１５に記載のケーブルコネクタ。
【請求項１７】
前記当止部材の部材本体に形成するリブが２つ形成され、該本体上に形成されるコの字状フレームも２つ形成し、該２つのリブの内、前端に位置するリブを他のリブよりやや高くすることを特徴とする請求項１６に記載のケーブルコネクタ。
【請求項１８】
前記係止部材の係止部が該コネクタに延伸するように形成されるフック状の係止フック部であることを特徴とする請求項１５に記載のケーブルコネクタ。
【請求項１９】
ケーブルコネクタであって、
絶縁性を有する本体と、
該本体内に収納される複数の導電端子と、
該コネクタに係止する係止部と外部からの圧力を受ける押圧部とを含んでなり、該押圧部と該本体との間に隙間が形成されるように該本体上に設けられる係止部材と、
該絶縁性を有する本体の両側面に設けられ、該本体の側面との間に孔部を有する中空状に形成される一対の耳部と、
水平部と該水平部の両端縁部から下方に延伸してさらに前方に延伸するように形成されるアーム部とによってなり、かつ該アーム部が該耳部の孔部に進入し、該水平部が該係止部材の押圧部と該本体との間に形成される隙間内に位置するように形成されるとともに、該水平部を該押圧部と該本体との間に形成される隙間の高さと略同様の高さに形成する当止部材とを含んで構成されることを特徴とするケーブルコネクタ。
【請求項２０】
前記当止部材のアーム部の外側面に、該耳部の内側面に当接するリブを形成することを特徴とする請求項１９に記載のケーブルコネクタ。
【請求項２１】
前記当止部材のアーム部の外側面に形成するリブは、２つ形成され、かつ該アーム部の前端のリブを後方のリブより高く形成することを特徴とする請求２０に記載のケーブルコネクタ。
【請求項２２】
第１コネクタと第２コネクタとを組み合わせてなるケーブルコネクタであって、
該第１コネクタは、絶縁性を有する第１本体と、該第１本体内に収納される複数の導電端子と、係止フック部と押圧部を備え、且つ該押圧部と該第１本体との間に隙間が形成されるように該第１本体に設けられる係止部材と、を含んでなり、
該第２コネクタは、該第１コネクタと組み合わせて用いられ、絶縁性を有する第２本体と、該第２本体内に収納される複数の導電端子と、少なくとも摺動自在に設けられる本体部を含んでなり、且つ該本体部が該係止部材の押圧部と該本体との間に形成される隙間に進入するとともに、該隙間から離れるように設けられる当止部材とを含み構成されることを特徴とするケーブルコネクタ。
【請求項２３】
前記当止部材が締結バンドであって、該締結バンドは、鋸刃状の突起を一体に形成してなるバンド本体と、該バンド本体の一端に設けられるバンド止め部とを含んで構成され、該締結バンドを該第１本体に巻き付け、該バンド本体の一部を該係止部材の押圧部と該本体との間に形成される隙間内に位置させることを特徴とする請求項２２に記載のケーブルコネクタ。
【請求項２４】
前記締結バンドのバンド本体が、該係止部材の押圧部と該本体との間に形成される隙間の高さと略同様の厚さに形成されることを特徴とする請求項２３に記載のケーブルコネクタ。
【請求項２５】
前記絶縁性を有する第１本体上にコの字状フレームを設け、該当止部材が、長方形状の部材本体と、該部材本体の一端に位置する押圧部とを含んで構成され、かつ該部材本体が押圧を受けて押し出されると、該コの字状フレーム内に進入し、かつ該係止部材の押圧部と該第１本体との間に形成される隙間に進入するように設けられるとともに、該部材本体を該係止部材の押圧部と該第１本体との間に形成される隙間の高さと略同様の厚さに形成することを特徴とする請求項２２に記載のケーブルコネクタ。
【請求項２６】
前記当止部材の部材本体にリブを形成し、該コの字状フレーム内の空間の高さを該当止部材の部材本体の厚さよりやや高くし、かつ該部材本体に該リブの厚さを加えた長さに比してやや低くすることを特徴とする請求項２５に記載のケーブルコネクタ。
【請求項２７】
前記当止部材の部材本体に形成するリブが２つ形成され、該本体上に形成されるコの字状フレームも２つ形成し、該２つのリブの内、前端に位置するリブを他のリブよりやや高くすることを特徴とする請求項２６に記載のケーブルコネクタ。
【請求項２８】
前記絶縁性を有する第１本体の両側面に一対の耳部を形成し、該耳部は該第１本体の側面との間に孔部を有する中空状に形成され、該当止部材は、水平部と、該水平部の両端縁部から下方に延伸し、さらに前方に延伸するように形成されるアーム部とによってなり、かつ該アーム部が該耳部の孔部に進入し、該水平部が該係止部材の押圧部と該第１本体との間に形成される隙間内に位置するように形成され、該水平部を該押圧部と該第１本体との間に形成される隙間の高さと略同様の高さに形成することを特徴とする請求項２２に記載のケーブルコネクタ。
【請求項２９】
前記当止部材のアーム部の外側面に、該耳部の内側面に当接するリブを形成することを特徴とする請求項２８に記載のケーブルコネクタ。
【請求項３０】
前記当止部材のアーム部の外側面に形成するリブは、２つ形成され、かつ該アーム部の前端のリブを後方のリブより高くすることを特徴とする請求項２９に記載のケーブルコネクタ。
【請求項３１】
前記絶縁性の第１本体上に設けられる係止部材は、該第１本体上に設けられる支持部と係止部と押圧部とによってなり、かつ該係止部と押圧部とが該支持部の両側にそれぞれ設けられることを特徴とする請求項２２に記載のケーブルコネクタ。
【発明の詳細な説明】
【技術分野】
【０００１】
この発明は、ケーブルコネクタに関し、特に脱落防止装置を備えるケーブルコネクタに関する。
【背景技術】
【０００２】
車両には、ますます多くの電子装置が設けられるようになってきた。これら電子装置は多種類の機能を提供して、運転の快適性と安全性を高めることを目的とする。これら電子装置はいずれもケーブルを介して電源に接続され、かつ必要とする電子信号の出入力を行う。一部の電子装置について言えば、眩しさを防ぐ機能を備える電子タイプのバックミラー、該バックミラーに設けられる電子コンパス、もしくは車内用照明具などは、バックミラーに外部の電源を接続し、かつ適宜な電子信号を外部から入力して、所定の機能を発揮する。よって、ケーブルを外部から接続する方式で、電子信号の伝送を行う。
【０００３】
特許文献１は車内に設けるバックミラーを提供するものであって、外部からバックミラー内部に接続されるケーブルは、プラグと車両の電源から延伸するケーブルとによってなり、該バックミラーを支持する支軸の一端に接続されて、電源との接続と、電子信号を伝送するための接続とを行う。
【０００４】
但し、特許文献１に開示される技術は、ケーブルと関連するプラグが外部に露出する。よって、美観の観念から言えば、高級車にとって好ましいとはいえない。このため、バックミラーを支持する支軸を中空に形成しケーブルを該支軸内に収納する技術が開発された。例えば特許文献２、もしくは特許文献３に係る技術が開示されている。
【０００５】
しかしながら、バックミラーの支軸を中空に形成しても、その内部空間は狭く、プラグを内部に収納することができない。このため、その他従来の技術では電源ケーブルのプラグを車両の天井に設けている。
【０００６】
図１、２に開示するように、ケーブル８２、９２は、外部に露出しないように、天井と、天井に貼着される内装用の生地との間に設けられる。電源に接続されるケーブル８２とバックミラーに接続されるケーブル９２は、コネクタの組み合わせによって連結する。該コネクタの組み合わせは、オスコネクタ８と、メスコネクタ９とによってなり、メスコネクタ９の側面で下方に位置する面には係止部材９１を設け、該係止部材９１は一端に係止フックが形成され、オスコネクタ８と、メスコネクタ９とを連結する場合、該係止部材９１の前端の係止フックがメスコネクタ９の対応する位置に形成された係止点上に係止し、オスコネクタ８と、メスコネクタ９とが固定され、緩んで外れることを防ぐ。両コネクタを分解する場合、係止部材９１の後端に形成した押圧部９３を押圧すると、該係止フックがメスコネクタ８の係止点から外れて、両コネクタが分解可能な状態になる。
【０００７】
但し、正常な態様で使用されていたとしても、組み合わせたコネクタは天井となる金属板と天井に貼着される生地との間に設けられるため、コネクタをどのような方向に設けようと該係止部材９１の押圧部９３がぶつかったり、接触したりすることによって不当に圧力を受けて、メスコネクタ９の係止部材９１がオスコネクタ８の係止点から外れる可能性がある。係る状況が発生すると、両コネクタの電気的接続は不確実になる。さらに車両の高振動が発生した場合、かかる不確実な電気的接続は、電気信号の永久的、もしくは暫時的な中断を招き、ケーブルの他端に接続する電子装置が作動しなくなる恐れがある。
【特許文献１】米国特許第４，６４６，２１０号明細書
【特許文献２】米国特許第２，４１４，２２３号明細書
【特許文献３】米国特許第４，８８３，３４９号明細書
【発明の開示】
【発明が解決しようとする課題】
【０００８】
上述するとおり、車両の天井と、天井に貼着される生地との間にオスコネクタとメスコネクタとを連結させて設ける従来の技術においては、両コネクタの連結が理想的でなく、このため電器的な接続が不確実になり、電気信号の永久的、もしくは暫時的な中断を招くという欠点を有する。
【０００９】
よって、この発明はオスコネクタとメスコネクタの連結が外れることを防ぎ、安定した連結を得ることによって、確実な電気的接続の得られるケーブルコネクタを提供することを課題とする。
【課題を解決するための手段】
【００１０】
そこで本発明者は、従来の技術に鑑み鋭意研究を重ねた結果、絶縁性を有する本体と、該本体内に収納される複数の導電端子と、該コネクタに係止する係止部と外部からの圧力を受ける押圧部とを含んでなり、該押圧部と該本体との間に隙間が形成されるように該本体上に設けられる係止部材とを備えてなるケーブルコネクタに、当止部材を設けてなり、該当止部材は少なくとも本体部を備え、該本体部が該係止部材の押圧部と該本体との間に形成される隙間に進入するとともに、該隙間から離れるように該本体に摺動自在に設けられる。
係るケーブルコネクタの構造と、その製造方法によって課題を解決できる点に着眼し、係る知見に基づき本発明を完成させた。
以下、この発明について具体的に説明する。
【００１１】
請求項１に記載するケーブルコネクタは、絶縁性を有する本体と、
該本体内に収納される複数の導電端子と、
該コネクタに係止する係止部と外部からの圧力を受ける押圧部とを含んでなり、該押圧部と該本体との間に隙間が形成されるように該本体上に設けられる係止部材と、
少なくとも本体部を備え、該本体部が該係止部材の押圧部と該本体との間に形成される隙間に進入するとともに、該隙間から離れるように該本体に摺動自在に設けられる当止部材とを含み構成される。
【００１２】
請求項２に記載するケーブルコネクタは、請求項１における係止部材の係止部が該コネクタに延伸するように形成されるフック状の係止フック部である
【００１３】
請求項３に記載するケーブルコネクタは、請求項１における当止部材が締結バンドであって、該締結バンドは、鋸刃状の突起を一体に形成してなるバンド本体と、該バンド本体の一端に設けられるバンド止め部とを含んで構成され、該締結バンドを該本体に巻き付け、該バンド本体の一部を該係止部材の押圧部と該本体との間に形成される隙間内に位置させる。
【００１４】
請求項４に記載するケーブルコネクタは、請求項３における締結バンドのバンド本体が、該係止部材の押圧部と該本体との間に形成される隙間の高さと略同様の厚さに形成される。
【００１５】
請求項５に記載するケーブルコネクタは、請求項１における絶縁性を有する本体の該係止部材を設ける側の表面にコの字状フレームを設け、該当止部材が、長方形状の部材本体と、該部材本体の一端に位置する押圧部とを含んで構成され、かつ該部材本体が押圧を受けて押し出されると、該コの字状フレーム内に進入し、かつ該係止部材の押圧部と該本体との間に形成される隙間に進入するように設けられるとともに、該部材本体を該係止部材の押圧部と該本体との間に形成される隙間の高さと略同様の厚さに形成する。
【００１６】
請求項６に記載するケーブルコネクタは、請求項５における当止部材の部材本体にリブを形成し、該コの字状フレーム内の空間の高さを該当止部材の部材本体の厚さよりやや高くし、かつ該部材本体に該リブの厚さを加えた長さに比してやや低くする。
【００１７】
請求項７に記載するケーブルコネクタは、請求項６における当止部材の部材本体に形成するリブが２つ形成され、該本体上に形成されるコの字状フレームも２つ形成し、該２つのリブの内、前端に位置するリブを他のリブよりやや高くする。
【００１８】
請求項８に記載するケーブルコネクタは、請求項１における絶縁性を有する本体の両側面に一対の耳部を形成し、該耳部は該本体の側面との間に孔部を有する中空状に形成され、該当止部材は、水平部と、該水平部の両端縁部から下方に延伸し、さらに前方に延伸するように形成されるアーム部とによってなり、かつ該アーム部が該耳部の孔部に進入し、該水平部が該係止部材の押圧部と該本体との間に形成される隙間内に位置するように形成され、該水平部を該押圧部と該本体との間に形成される隙間の高さと略同様の高さに形成する。
【００１９】
請求項９に記載するケーブルコネクタは、請求項８における当止部材のアーム部の外側面に、該耳部の内側面に当接するリブを形成する。
【００２０】
請求項１０に記載するケーブルコネクタは、請求項９における当止部材のアーム部の外側面に形成するリブが、２つ形成され、かつ該アーム部の前端のリブを後方のリブより高くする。
【００２１】
請求項１１に記載するケーブルコネクタは、請求項１における絶縁性の本体上に設けられる係止部材が、該本体上に設けられる支持部と係止部と押圧部とによってなり、かつ該係止部と押圧部とが該支持部の両側にそれぞれ設けられる。
【００２２】
請求項１２に記載するケーブルコネクタは、
絶縁性を有する本体と、
該本体内に収納される複数の導電端子と、
該コネクタに係止する係止部と、外部からの圧力を受ける押圧部とを含んでなり、該押圧部と該本体との間に隙間が形成されるように該本体上に設けられる係止部材と、
鋸刃状の突起を一体に形成してなるバンド本体と一端に設けられるバンド止め部とによってなる締結バンドとを含み構成され、
該締結バンドを該本体に巻き付け、該バンド本体の一部を該係止部材の押圧部と該本体との間に形成される隙間に位置させる。
【００２３】
請求項１３に記載するケーブルコネクタは、請求項１２における係止部材の係止部が該コネクタに延伸するように形成されるフック状の係止フック部である。
【００２４】
請求項１４に記載するケーブルコネクタは、請求項１２における締結バンドのバンド本体が、該係止部材の押圧部と該本体との間に形成される隙間の高さと略同様の厚さに形成される。
【００２５】
請求項１５に記載するケーブルコネクタは、
絶縁性を有する本体と、
該本体内に収納される複数の導電端子と、
該コネクタに係止する係止部と外部からの圧力を受ける押圧部とを含んでなり、該押圧部と該本体との間に隙間が形成されるように該本体上に設けられる係止部材と、
該係止部材を設ける本体の表面に設けられるコの字状フレームと、
長方形状の部材本体と該部材本体の一端に位置する押圧部とを含んで構成され、該部材本体が押圧を受けて押し出されると、該コの字状フレーム内に進入し、かつ該係止部材の押圧部と該本体との間に形成される隙間に進入するように設けられる当止部材とを含み構成される。
【００２６】
請求項１６に記載するケーブルコネクタは、請求項１５における当止部材の部材本体にリブを形成し、該コの字状フレーム内の空間の高さを該当止部材の部材本体の厚さよりやや高くし、かつ該部材本体に該リブの厚さを加えた長さに比してやや低くする。
【００２７】
請求項１７に記載するケーブルコネクタは、請求項１６における当止部材の部材本体に形成するリブが２つ形成され、該本体上に形成されるコの字状フレームも２つ形成し、該２つのリブの内、前端に位置するリブを他のリブよりやや高くする。
【００２８】
請求項１８に記載するケーブルコネクタは、請求項１５における係止部材の係止部が該コネクタに延伸するように形成されるフック状の係止フック部である。
【００２９】
請求項１９に記載するケーブルコネクタは、
絶縁性を有する本体と、
該本体内に収納される複数の導電端子と、
該コネクタに係止する係止部と外部からの圧力を受ける押圧部とを含んでなり、該押圧部と該本体との間に隙間が形成されるように該本体上に設けられる係止部材と、
該絶縁性を有する本体の両側面に設けられ、該本体の側面との間に孔部を有する中空状に形成される一対の耳部と、
水平部と該水平部の両端縁部から下方に延伸してさらに前方に延伸するように形成されるアーム部とによってなり、かつ該アーム部が該耳部の孔部に進入し、該水平部が該係止部材の押圧部と該本体との間に形成される隙間内に位置するように形成されるとともに、該水平部を該押圧部と該本体との間に形成される隙間の高さと略同様の高さに形成する当止部材とを含んで構成される。
【００３０】
請求項２０に記載するケーブルコネクタは、請求項１９における当止部材のアーム部の外側面に、該耳部の内側面に当接するリブを形成する。
【００３１】
請求項２１に記載するケーブルコネクタは、請求項２１における当止部材のアーム部の外側面に形成するリブが、２つ形成され、かつ該アーム部の前端のリブを後方のリブより高く形成する。
【００３２】
請求項２２に記載するケーブルコネクタは、
第１コネクタと第２コネクタとを組み合わせてなるケーブルコネクタであって、
該第１コネクタは、絶縁性を有する第１本体と、該第１本体内に収納される複数の導電端子と、係止フック部と押圧部を備え、且つ該押圧部と該第１本体との間に隙間が形成されるように該第１本体に設けられる係止部材と、を含んでなり、
該第２コネクタは、該第１コネクタと組み合わせて用いられ、絶縁性を有する第２本体と、該第２本体内に収納される複数の導電端子と、少なくとも摺動自在に設けられる本体部を含んでなり、且つ該本体部が該係止部材の押圧部と該本体との間に形成される隙間に進入するとともに、該隙間から離れるように設けられる当止部材とを含み構成される。
【００３３】
請求項２３に記載するケーブルコネクタは、請求項２２における当止部材が締結バンドであって、該締結バンドは、鋸刃状の突起を一体に形成してなるバンド本体と、該バンド本体の一端に設けられるバンド止め部とを含んで構成され、該締結バンドを該第１本体に巻き付け、該バンド本体の一部を該係止部材の押圧部と該本体との間に形成される隙間内に位置させる。
【００３４】
請求項２４に記載するケーブルコネクタは、請求項２３における締結バンドのバンド本体が、該係止部材の押圧部と該本体との間に形成される隙間の高さと略同様の厚さに形成される。
【００３５】
請求項２５に記載するケーブルコネクタは、請求項２２における絶縁性を有する第１本体上にコの字状フレームを設け、該当止部材が、長方形状の部材本体と、該部材本体の一端に位置する押圧部とを含んで構成され、かつ該部材本体が押圧を受けて押し出されると、該コの字状フレーム内に進入し、かつ該係止部材の押圧部と該第１本体との間に形成される隙間に進入するように設けられるとともに、該部材本体を該係止部材の押圧部と該第１本体との間に形成される隙間の高さと略同様の厚さに形成する。
【００３６】
請求項２６に記載するケーブルコネクタは、請求項２５における当止部材の部材本体にリブを形成し、該コの字状フレーム内の空間の高さを該当止部材の部材本体の厚さよりやや高くし、かつ該部材本体に該リブの厚さを加えた長さに比してやや低くする。
【００３７】
請求項２７に記載するケーブルコネクタは、請求項２６における当止部材の部材本体に形成するリブが２つ形成され、該本体上に形成されるコの字状フレームも２つ形成し、該２つのリブの内、前端に位置するリブを他のリブよりやや高くする。
【００３８】
請求項２８に記載するケーブルコネクタは、請求項２２における絶縁性を有する第１本体の両側面に一対の耳部を形成し、該耳部は該第１本体の側面との間に孔部を有する中空状に形成され、該当止部材は、水平部と、該水平部の両端縁部から下方に延伸し、さらに前方に延伸するように形成されるアーム部とによってなり、かつ該アーム部が該耳部の孔部に進入し、該水平部が該係止部材の押圧部と該第１本体との間に形成される隙間内に位置するように形成され、該水平部を該押圧部と該第１本体との間に形成される隙間の高さと略同様の高さに形成する。
【００３９】
請求項２９に記載するケーブルコネクタは、請求項２８における当止部材のアーム部の外側面に、該耳部の内側面に当接するリブを形成する。
【００４０】
請求項３０に記載するケーブルコネクタは、請求項２９における当止部材のアーム部の外側面に形成するリブが、２つ形成され、かつ該アーム部の前端のリブを後方のリブより高くする。
【００４１】
請求項３１に記載するケーブルコネクタ。は、請求項２２における絶縁性の第１本体上に設けられる係止部材が、該第１本体上に設けられる支持部と、係止部と押圧部とによってなり、かつ該係止部と押圧部とが該支持部の両側にそれぞれ設けられる。
【００４２】
本発明のケーブルコネクタは、オスコネクタとメスコネクタとを連結してなるケーブルコネクタにおいて、該オスコネクタとメスコネクタとの連結が予期せず外れることを防ぎ、確実な電気的接続を確保するとともに、必要時に簡易な操作で該オスコネクタとメスコネクタとの連結を開放することができ、使用上便利であるという利点がある。
【発明を実施するための最良の形態】
【００４３】
この発明はオスコネクタとメスコネクタとが予期せず外れる事を防ぐための脱落防止装置を備えたケーブルコネクタを提供するものであって、絶縁性を有する本体と、該本体内に収納される複数の導電端子と、該コネクタに係止する係止部と外部からの圧力を受ける押圧部とを含んでなり、該押圧部と該本体との間に隙間が形成されるように該本体上に設けられる係止部材とを備えてなるケーブルコネクタに、当止部材を設けてなり、該当止部材は、少なくとも本体部を備え、該本体部が該係止部材の押圧部と該本体との間に形成される隙間に進入するとともに、該隙間から離れるように該本体に摺動自在に設けられる。
係る構成のケーブルコネクタについて、その構造と特徴を詳述するために具体的な実施例を挙げ、以下に説明する。
【実施例１】
【００４４】
図３に開示するように、この発明によるケーブルコネクタは、オスコネクタ２と、メスコネクタ１と、締結バンド３と、オスコネクタ２、メスコネクタ１にそれぞれ接続されるケーブル２２、１２とを含んでなる、締結バンド３はプラスチック材によってなり、鋸刃状の突起を一体に形成してなるバンド本体３１と、一端に設けられるバンド止め部３２とを含んで構成される。その構造は一般の配線工事で電線などを束ねるために用いるバンドに類似したものであるので、ここでは詳述しない。
【００４５】
図４に開示するように、メスコネクタ１は絶縁性を有する本体１１と、該本体内に収納され固定される複数の導電端子１７とを含んでなる。メスコネクタ１はケーブル１２と電器的に接続する。また、該本体１１の側面には係止部材１３を設けるか、一体に形成する。該係止部材１３は本体１１から延伸する支持部１６と、前端に形成されてオスコネクタ２に形成される係止点（図示しない）に係止する係止フック部１５と、他端に形成される押圧部１４とを含む。締結バンド３を設けない状態において、押圧部１４を押圧すると、係止フック部１５が上方に引き起こされ、オスコネクタ２とメスコネクタ１とを分解できる状態になる。
【００４６】
図５、６に開示するように、締結バンド３は、メスコネクタ１の本体１１上に巻きつけて、バンド本体３１の一端がバンド止め部３２を通過して緊密に締結した後、余剰の部分を切断する。バンド本体３１は、係止部材１３の押圧部１４と本体１１の上部表面１８との距離とほぼ同様の厚さに形成する。よって、締結バンド３のバンド本体３１を押圧部１４と本体１１の間に介在させることができ、バンド本体３１が介在した状態において、押圧部１４は下方に向かって運動することなく、係止フック部１５が上方に引き起こされることもなく、オスコネクタ２とメスコネクタ１は確実な電気的接続を保持することができる。
【００４７】
図７に開示するように、オスコネクタ２とメスコネクタ１とを分解する場合、締結バンド３を押圧部１４と本体１１の上部表面１８との間から離脱させると、押圧部１４を押圧することによってオスコネクタ２とメスコネクタ１とが分解できる状態になる。
【実施例２】
【００４８】
図８、９にこの発明の第２の実施例を開示する。第２の実施例におけるメスコネクタ１’と、第１の実施例におけるメスコネクタ１とは、構造がほぼ同様である。但し、メスコネクタ１’の上部表面１８に摺動当止部材４の貫通するコの字状フレーム５を少なくとも１以上設ける点において異なる。好ましくは、図面に開示するように２つ設ける。該摺動当止部材４は、長方形状の部材本体４１と、部材本体４１の一端に位置する押圧部４２と、部材本体４１の表面に形成する２つのリブ４３とを含む。２つのリブ４３の内、前方に位置するリブを他のリブよりやや高くする。該摺動当止部材４の一端は、コの字状フレーム５を貫通して押圧部１４と本体１１との間に進入する。部材本体４１は係止部材１３の押圧部１４から本体１１に至る距離とほぼ同様の厚さに形成する。また、コの字状フレーム５によって形成されるフレーム内空間の高さは部材本体４１の厚さよりやや高くし、かつ部材本体４１にリブ４３の厚さを加えた長さよりやや小さくする。したがって、摺動当止部材４の一端がコの字状フレーム５を貫通して押圧部１４の下方に進入し、かつリブ４３によって摺動当止部材４がコの字状フレーム５内に固定され、摺動当止部材４が係止部材１３の押圧部１４下方の位置から離れることを防ぐ。
【００４９】
オスコネクタ２とメスコネクタ１’とを分解する場合、摺動当止部材４を後方に引くと、部材本体４１が押圧部１４と本体１１との間から離れ、押圧部１４を下方に押圧することによってオスコネクタ２とメスコネクタ１’とが分解できる状態になる。
【実施例３】
【００５０】
図１０にこの発明の第３の実施例を開示する。第３の実施によるメスコネクタ１”は、構造が前述する第１、第２の実施例と略同様であるが、メスコネクタ１”の本体１１の両側面に突起状の耳部７を一体に形成する点において異なる。該耳部７は中空に形成され、即ち本体１１の側面との間に孔部７１を形成する。別途、両端縁部が耳部７の孔部７１に係止する当止部材６を成形する。該当止部材６は、水平部６１と、該水平部６１の両端縁部から下方に延伸し、さらに前方に延伸するように形成されるアーム部６２とによってなり、かつ本体１１上において摺動自在に設ける。それぞれのアーム部６２は、外側面に突起する２つのリブ６３を一体に形成する。水平部６１は、係止部材１３の押圧部１４から本体１１までの距離と略同様の厚さに形成する。
【００５１】
以上の構成による当止部材６を押圧して前進させると、アーム部６２が耳部７の孔部７１に進入し、かつ２つのリブ６３が耳部７の内側面に当接し、当止部材６が耳部７から離脱することを防ぐ。この状態において、水平部６１は押圧部１４と本体１１との間に進入し、押圧部１４の下方に当接する。このため、押圧部１４が予期せず押圧を受けてコネクタが外れる状態になることを防ぐことができる。
【００５２】
以上から明らかなように、実施例においては、２つのリブ６３を異なる高さにすることが好ましい。即ち、アーム部６２の前端のリブについて、後方のリブより高くすることによって全体的に厚くする。かかる構造は、当止部材６全体が係止部材１３の下方から移動し、予期せず耳部７から外れることを防ぐことができる。
【００５３】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００５４】
【図１】従来のケーブルコネクタの使用態様を示した説明図である。
【図２】図１に開示するケーブルコネクタの使用態様を示した断面説明図である。
【図３】この発明によるケーブルコネクタの分解図である。(実施例１)
【図４】図３に開示するケーブルコネクタの側面図である。
【図５】図３に開示するケーブルコネクタを組立てた状態を示した斜視図である。
【図６】図５に開示するケーブルコネクタのメスコネクタの部分の断面図である。
【図７】図５に開示するケーブルコネクタから締結バンドを取り外した状態を示した説明図である。
【図８】この発明による他の形態のケーブルコネクタを示した斜視図である。（実施例２）
【図９】図８に開示するケーブルコネクタにおける当止部材の部分の断面説明図である。
【図１０】この発明によるその他の形態のケーブルコネクタを示した分解図である。（実施例３）
【符号の説明】
【００５５】
１、１’、１”  メスコネクタ
１１  本体
１２  ケーブル
１３  係止部材
１４  押圧部
１５  係止フック部
１６  支持部
１７  導電端子
１８  上部表面
２    オスコネクタ
２２  ケーブル
３    締結バンド
３１  バンド本体
３２  バンド止め部
４    摺動当止部材
４１  部材本体
４２  押圧部
４３  リブ
５    コの字状フレーム
６    当止部材
６１  水平部
６２  アーム部
６３  リブ
７    耳部
７１  孔部
【図１】
2005100986.tif 000003
【図２】
2005100986.tif 000004
【図３】
2005100986.tif 000005
【図４】
2005100986.tif 000006
【図５】
2005100986.tif 000007
【図６】
2005100986.tif 000008
【図７】
2005100986.tif 000009
【図８】
2005100986.tif 000010
【図９】
2005100986.tif 000011
【図１０】
2005100986.tif 000012